(57)【要約】【課題】冷蔵室と冷凍室を有し、冷蔵室の冷却を停止させることのできる冷蔵冷却停止スイッチ機能がある場合において、冷蔵冷却停止を解除後、冷凍室が十分冷えているため、圧縮機が停止し、冷蔵室温度が高くなるという課題を有していた。【解決手段】冷凍室温度検知手段と１３、冷凍室温度設定手段１４と、冷凍室温度差演算手段１５と、冷蔵室温度検知手段１６と、冷蔵室温度設定手段１７と、冷蔵室温度差演算手段１８と、切替弁駆動手段１９と、圧縮機駆動手段２０と、冷蔵室冷却停止検出手段２１と、冷蔵室設定温度補正手段２２からなり、冷蔵室冷却停止後において、冷蔵室設定温度の引下げを行い、冷蔵室温度差演算手段１８により冷蔵室温度において圧縮機７を運転させ、冷蔵室３の冷却を行い、冷蔵室３をいち早く冷却することができる。【選択図】図１
2006242499.tif 000002
【特許請求の範囲】
【請求項１】
断熱区画壁にて区画された冷蔵室と冷凍室と、前記冷蔵室と冷凍室にそれぞれ備えた冷蔵室冷却器と冷凍室冷却器と、前記冷蔵室と冷凍室の温度検知を行う冷蔵室温度検知手段、冷凍室温度検知手段と、前記冷蔵室と冷凍室の温度設定を行う冷蔵室温度設定手段、冷凍室温度設定手段と、前記冷蔵室冷却器と冷凍室冷却器を冷却するための冷凍装置とを備えたものにおいて、前記冷蔵室冷却器の冷却を停止する冷蔵室冷却停止検出手段により冷蔵室冷却停止スイッチを備え、冷蔵室冷却停止を解除後に冷蔵室設定温度補正手段により冷蔵室設定温度の補正を行うことを特徴とする冷蔵庫。
【請求項２】
冷蔵室冷却停止中に冷蔵室霜取りヒータ通電手段により冷蔵室霜取りヒータを通電することを備えたことを特徴とする請求項１に記載の冷蔵庫。
【請求項３】
冷蔵室冷却停止を解除後に給水量判断手段により給水タンクに水が残っている場合は、給水タンクの水が替えられるまで製氷停止判断手段により製氷を停止させることを特徴とする請求項１に記載の冷蔵庫。
【請求項４】
冷蔵室冷却停止を記憶することができる冷蔵室冷却停止記憶手段を備えたことを特徴とする請求項１に記載の冷蔵庫。
【発明の詳細な説明】
【技術分野】
【０００１】
本発明は、冷蔵室と冷凍室にそれぞれ冷却器を有する冷蔵庫の運転装置に関するものである。
【背景技術】
【０００２】
従来、冷蔵室と冷凍室にそれぞれ冷却器を有する冷蔵庫の運転装置がある。（例えば、特許文献１参照）
図６は、従来の冷蔵庫の運転装置の断面図を示すものである。図６において、１は冷蔵庫本体で、区画壁２により上部に冷蔵室３、野菜室４、下部に冷凍室５、製氷室６に区画されている。７は圧縮機であり、８は凝縮機であり、前記冷蔵庫本体１の外壁内側に設けられている。９は冷凍室冷却器、１０は吸入管であり１１は冷蔵室冷却器、冷凍室５と冷蔵室３の冷却切替を行うＤＣステッピングモータ仕様の切替弁１２である。前記圧縮機７、凝縮機８、減圧縮（図示せず）、冷凍冷却器９、冷蔵冷却器１１、吸入管１０、切替弁１２は冷凍室と冷蔵室を直列に冷却を行い一連の冷凍サイクルを行っている。冷凍室５の温度を検知する冷凍室温度検知手段１３と、冷凍室５の温度を設定する冷凍室温度設定手段１４、冷凍室温度検知手段１３と冷凍室温度設定手段１４により庫内温度と設定温度との温度差を演算する冷凍室温度差演算手段１５である。冷蔵室３の温度を検知する冷蔵室温度検知手段１６、冷蔵室３の温度を設定する冷蔵室温度設定手段１７、冷蔵室温度検知手段１６と冷蔵室温度設定手段１７により庫内温度と設定温度との温度差を演算する冷蔵室温度差演算手段１８により、冷蔵室の冷却と冷蔵室・冷凍室の冷却を行い、切替弁１２を駆動させる切替弁駆動手段１９である。冷凍室温度差演算手段１５より圧縮機８を駆動する圧縮機駆動手段２０により構成されている。
【０００３】
図７は、従来の冷蔵庫のフローチャートを示すものである。
【０００４】
まず、電源を投入すると、ステップ１００として冷凍室温度の検出を行う冷凍室温度検知手段１３を読み込み、ステップ１０１で冷凍室設定温度の検出を行う冷凍室温度設定手段１４を読み込み、ステップ１０２で冷凍室温度検知手段１３と冷凍室温度設定手段１４の温度差を演算する冷凍室温度差演算手段１５を読込み、ステップ１０３で冷凍室温度が冷凍室設定温度より高い場合、ステップ１０４で圧縮機駆動手段１９により圧縮機７を駆動する。ステップ１０５で冷凍室温度が冷凍室設定温度より低い場合、ステップ１０６で圧縮機駆動手段１９により圧縮機７を停止する。ステップ１０７として冷蔵室温度の検出を行う冷蔵室温度検知手段１３を読み込み、ステップ１０８で冷蔵室設定温度の検出を行う冷蔵室温度設定手段１４を読み込み、ステップ１０９で冷蔵室温度検知手段１３と冷蔵室温度設定手段１４の温度差を演算する冷蔵室温度差演算手段１５を読込み、ステップ１１０で冷蔵室温度が冷蔵室設定温度より低い場合、ステップ１１１で切替弁駆動手段１９により冷凍室冷却を切替弁７により行う。ステップ１１２で冷蔵室温度が冷蔵室設定温度より高い場合、ステップ１１３で切替弁駆動手段１９により冷蔵室冷却を切替弁７により行う。この作用を繰り返して、通常の冷却運転が行われる。
【０００５】
以上のように構成された冷蔵庫の運転装置について、以下その動作を説明する。まず、
冷凍室を冷却する場合、冷凍室温度検知手段１３により検知した冷凍室温度と、冷凍室温度設定手段１４により設定された設定温度を検出し、冷凍室温度検知手段１３と冷凍室温度設定手段１４の温度差を演算する冷凍室温度差演算手段１５を算出し、冷凍室温度と冷凍室設定温度を比較し、圧縮機７の駆動を行う圧縮機駆動手段１９と、冷蔵室温度検知手段１６により検知した冷蔵室温度と、冷蔵室温度設定手段１７により設定された設定温度を検出し、冷蔵室温度検知手段１６と冷蔵室温度設定手段１７の温度差を演算する冷蔵室温度差演算手段１８を算出し、冷蔵室温度と冷蔵室設定温度を比較し、切替弁７の駆動を行う切替弁駆動手段１９とで構成される。この時、冷凍室温度が冷凍室温度により高い場合、圧縮機７を運転し、冷蔵室温度が冷蔵室設定温度より低い場合冷凍室冷却を行い、冷蔵室温度が冷蔵室設定温度より高い場合、冷蔵室冷却を行い、切替弁を駆動させるように構成されている。
【特許文献１】特開平１１−３１１４７６号公報
【発明の開示】
【発明が解決しようとする課題】
【０００６】
しかしながら、上記従来の構成は、冷蔵室温度と設定温度の温度差により冷蔵室と冷凍室の冷却の切替を行っているが、冷蔵室の冷却を停止させることのできる冷蔵冷却停止スイッチ機能がある場合において、冷蔵冷却停止を解除後、冷凍室が十分冷えているため、圧縮機が停止するため、冷蔵室温度が高くなるという課題を有していた。
【０００７】
本発明は従来の課題を解決するもので、冷蔵冷却停止解除後においては、冷蔵室設定温度を補正し、圧縮機を運転することができる冷蔵庫の運転装置を目的とする。
【０００８】
また、上記従来の構成は、冷蔵冷却停止開始直後は冷蔵室が冷えており、又冷蔵室冷却器に霜が残っており、すぐに冷蔵室を保管場所として使用することができないという課題を有していた。
【０００９】
本発明は従来の課題を解決するもので、冷蔵冷却停止中においては冷蔵室霜取りヒータを通電することで冷蔵室冷却器の霜を溶かし冷蔵室の温度を常温にすることができる冷蔵庫の運転装置を目的とする。
【００１０】
また、上記従来の構成は、冷蔵冷却停止中の時間が長時間経過した場合、給水タンクの水が不衛生となる課題を有していた。
【００１１】
本発明は従来の課題を解決するためのもので、冷蔵冷却停止中に給水タンクに水が残っている場合は、冷蔵冷却停止解除後に給水タンクの水が入れ替えられるまで製氷を停止させることができる冷蔵庫の運転装置を目的とする。
【００１２】
また、上記従来の構成は、冷蔵冷却停止中に冷蔵室に食品以外のものを保管している場合、瞬時停電により電源が停止すると、冷蔵冷却停止が解除され冷蔵室に保管していたものが冷却されるという課題を有していた。
【００１３】
本発明は従来の課題を解決するためのもので、冷蔵冷却停止中に冷蔵冷却停止状態を記憶することができる冷蔵庫の運転装置を目的とする。
【課題を解決するための手段】
【００１４】
上記従来の課題を解決するために、本発明の冷蔵庫の制御装置は、冷蔵冷却停止解除後冷蔵室設定温度補正手段により、冷蔵室設定温度の引下げを行い、冷蔵室温度差演算手段により圧縮機を運転させ、冷蔵室の冷却を行うことができる冷蔵庫の運転装置を目的とする。
【００１５】
これにより、冷蔵室冷却停止解除後において、冷蔵室温度を引下げを行い、冷蔵室温度差演算手段により圧縮機を運転させ、冷蔵室の冷却を行うことができる。
【００１６】
また、本発明の冷蔵庫の制御装置は、冷蔵冷却停止中、冷蔵室霜取りヒータ通電手段により冷蔵室冷却器の霜を溶かし冷蔵室を常温にすることができる冷蔵庫の運転装置を目的とする。
【００１７】
これにより、冷蔵冷却停止中、冷蔵室霜取りヒータを通電することにより冷蔵室冷却器の霜を溶かし冷蔵室を常温にすることができる。
【００１８】
また、本発明の冷蔵庫の制御装置は、冷蔵冷却停止中に、給水量判断手段により給水タンクの水が取り替えられてない場合、冷蔵冷却停止後、製氷停止判断手段により製氷を停止する冷蔵庫の運転装置を目的とする。
【００１９】
これにより、冷蔵室冷却停止解除後において、冷蔵室冷却停止状態が長時間続いた場合、給水タンクの水が取り替えるまで製氷を停止することができ製氷時の水質の衛生を上げる冷蔵庫の運転装置を目的とする。
【００２０】
また、本発明の冷蔵庫の制御装置は、冷蔵冷却停止中に、冷蔵室冷却停止記憶手段により、冷蔵室冷却停止を記憶することができる冷蔵庫の運転装置を目的とする。
【００２１】
これにより、冷蔵室冷却停止中において、電源事情が不安定で瞬時停電する場合、冷蔵室冷却停止を記憶する冷蔵庫の運転装置を目的とする。
【発明の効果】
【００２２】
本発明の冷蔵庫の制御装置は、冷蔵冷却停止解除後、冷蔵室設定温度を補正し、圧縮機を運転することで、冷蔵室温度をいち早く下げることができる。
【００２３】
また、本発明の冷蔵庫の制御装置は、冷蔵室冷却停止中、冷蔵室霜取りヒータ通電し冷蔵室冷却器の霜を溶かし冷蔵室を常温にし、すぐに冷蔵室を保管場所として使用することができる。
【００２４】
また、本発明の冷蔵庫の制御装置は、冷蔵室冷却停止状態が長時間続いた場合、給水タンクの水が取り替えるまで製氷を停止することができ、製氷時の水質の衛生を確保することができる。
【００２５】
また、本発明の冷蔵庫の制御装置は、冷蔵室冷却停止中において、電源事情が不安定で瞬時停電する場合、冷蔵室冷却停止を記憶することができる。
【発明を実施するための最良の形態】
【００２６】
請求項１に記載の発明は、食品を貯蔵し冷却することができる冷蔵庫において、冷凍室温度を検知する冷凍室温度検知手段と、冷凍室温度を設定する冷凍室温度設定手段と、前記冷凍室温度により検知した庫内温度と前記冷凍室設定温度手段により設定された設定温度との温度差を演算する冷凍室温度差演算手段と、冷蔵室温度を検知する冷蔵室温度検知手段と、冷蔵室温度を設定する冷蔵室温度設定手段と、前記冷蔵室温度により検知した庫内温度と前記冷蔵室設定温度手段により設定された設定温度との温度差を演算する冷蔵室温度差演算手段と、冷蔵室温度差演算手段によりＤＣステッピングモータ仕様の切替弁駆動を行う切替弁駆動手段と、冷凍室温度差演算手段より圧縮機を駆動する圧縮機駆動手段と、冷蔵室の冷却を停止することができる冷蔵室冷却停止検出手段と、冷蔵室設定温度を補正する冷蔵室設定温度補正手段からなり、冷蔵室冷却停止後において、冷蔵室設定温度の引下げを行い、冷蔵室温度差演算手段により圧縮機を運転させ、冷蔵室の冷却を行い、冷蔵室をいち早く冷却することができるように構成した冷蔵庫の運転装置である。
【００２７】
請求項２に記載の発明は、請求項１に記載の発明の冷蔵庫の制御装置を、冷蔵室冷却停止中において、霜取りヒータ通電手段により冷蔵室霜取りヒータを通電し、冷蔵室を常温にすることができるように構成した冷蔵庫の運転装置である。
【００２８】
請求項３に記載の発明は、請求項１に記載の発明の冷蔵庫の制御装置を、冷蔵室冷却停止中に給水タンクの水が取り替えられたか判断する給水量判断手段と、冷蔵室冷却停止解除後、製氷を停止するか判断する製氷停止判断手段からなり、冷蔵室冷却停止中に給水量判断手段により給水タンクの水が取り替えられるか判断を行い、冷蔵室冷却停止時間が長時間続いて解除された場合、製氷停止判断手段により製氷を停止することのできるように構成した冷蔵庫の運転装置である。
【００２９】
請求項４に記載の発明は、請求項１に記載の発明の冷蔵庫の制御装置を、冷蔵室冷却停止中に冷蔵室冷却停止を記憶する冷蔵室冷却停止記憶手段からなり、冷蔵室冷却停止中に
電源事情が不安定で瞬時停電する場合、冷蔵室冷却停止を記憶することができるように構成した冷蔵庫の運転装置である。
【００３０】
以下、本発明の実施の形態について、図面を参照しながら説明する。なお、この実施の形態によってこの発明が限定されるものではない。
【００３１】
（実施の形態１）
図１は、本発明の実施の形態１における冷蔵庫の制御装置の断面図である。図２は、同実施例の冷蔵庫の運転装置のフローチャートである。
【００３２】
図１、図２において、冷蔵室冷却停止検出手段２１は、冷蔵室冷却が停止されているか検出を行い、冷蔵室設定温度の補正を行う冷蔵室設定温度補正手段２２からなる。
【００３３】
以上のように構成された冷蔵庫の運転装置について、以下にその動作を図２のフローチャートをもとに説明する。
【００３４】
まず、電源を投入すると、ステップ２００として冷凍室温度の検出を行う冷凍室温度検知手段１３を読み込み、ステップ２０１で冷凍室設定温度の検出を行う冷凍室温度設定手段１４を読み込み、ステップ２０２で冷凍室温度と冷凍室設定温度の温度差である冷凍室温度差演算手段１９を演算する。ステップ２０３で冷凍室温度差演算手段１５で冷蔵室温度が設定温度より高い場合は、ステップ２０４で圧縮機駆動手段２１により圧縮機８を駆動する。ステップ２０５で冷凍室温度差演算手段１５で冷蔵室温度が設定温度より低い場合は、ステップ２０６で圧縮機駆動手段２１により圧縮機８を停止する。ステップ２０７として冷蔵室温度の検出を行う冷蔵室温度検知手段１６を読み込み、ステップ２０８で冷蔵室設定温度の検出を行う冷蔵室温度設定手段１７を読み込み、ステップ２０９で冷蔵室冷却停止検出手段２１により冷蔵室冷却停止を解除すると、ステップ２１０で冷蔵室設定温度補正手段２２により冷蔵室設定温度の補正を行う。ステップ２１１で冷蔵室温度と冷蔵室設定温度の温度差である冷蔵室温度差演算手段１９を演算する。ステップ２１２で冷蔵室温度差演算手段１８で冷蔵室温度が設定温度より低い場合は、ステップ２１３で冷凍室を冷却する。ステップ２１４で冷蔵室温度差演算手段１８で冷蔵室温度が設定温度より高い場合は、ステップ２１５で冷蔵室の冷却を行い、切替弁駆動手段１９により切替弁１２を制御する。
【００３５】
（実施の形態２）
また、図３において、本発明の実施の形態２における冷蔵庫の制御装置の断面図である。図３において、冷蔵室霜取りヒータの通電２３を行う冷蔵室霜取りヒータ通電手段２４からなり、冷蔵室冷却停止中において、冷蔵室霜取りヒータの通電を行う。
【００３６】
（実施の形態３）
また、図４において、本発明の実施の形態３における冷蔵庫の制御装置の断面図である。図５において、冷蔵室冷却停止解除後に給水タンク２５の水が取り替えられたか判断する給水量判断手段２６と、給水量判断手段２６で水が取り替えられてない場合、製氷を停止させる製氷停止判定手段２７とからなり、冷蔵室冷却停止解除後、給水量判断手段２６により給水タンク２５の水が取り替えられてなければ、製氷停止判定手段２７により製氷を停止させる。冷蔵室冷却停止以外の製氷状態は、冷蔵室にある給水タンク２５から給水ポンプ２８により所定量を給水し、冷凍室５にある製氷皿２９に入れられ、一定時間冷却され製氷皿２９の水が凍ると製氷モータ３０により製氷皿２９を捻り、貯氷箱３１に氷が溜まる。再度給水動作を行う。貯氷箱３１の氷が一定以上になると製氷皿２９を捻るのを停止させ、貯氷箱３１の氷が減るまで停止する。製氷停止状態とは、製氷モータにより製氷皿２９を捻ることを停止し、給水しない状態である。
【００３７】
（実施の形態４）
また、図５において、本発明の実施の形態４における冷蔵庫の制御装置の断面図である。図５において、冷蔵室冷却停止中に、冷蔵室冷却停止中を記憶する冷蔵室冷却停止記憶手段３２からなり、電源状況が不安定な環境で瞬時停電が起こって冷蔵室冷却停止状態がリセットされないように、冷蔵室冷却停止記憶手段３２により、冷蔵室冷却停止状態を記憶する。
【００３８】
上記構成において、冷蔵室ドア３３の液晶表示基板３４により冷蔵室冷却停止スイッチ３５により冷蔵室冷却停止を行うと、切替弁１２により冷蔵室３の冷却を停止し、冷凍室５の冷却のみを行う。冷蔵室冷却停止スイッチ３５を押すことで、液晶表示基板３４の表示を見やすくするためバックライト表示３６を点灯させ、冷蔵室温度表示と冷蔵室設定温度表示を消灯することができる。冷蔵室冷却停止スイッチ３５を解除することで冷蔵室冷却停止の解除を行う。冷蔵室冷却停止が解除されると、冷蔵室温度が高くなっているために、冷蔵室設定温度の引下げを行い、冷凍室温度と冷蔵室温度により圧縮機７を運転させ冷蔵室３の冷却をいち早く行うことができる。操作上分かり易くするために、冷蔵室冷却停止中において、冷蔵室設定温度の設定を禁止し、バックライト表示３６を点灯させないようにしてもよい。
【００３９】
また、冷蔵室冷却停止中に冷蔵室霜取りヒータ２３を通電させ、冷蔵室冷却器１１の霜取りを行い冷蔵室３の温度を常温にすることができ、冷却しない冷蔵室３は収納スペースとしてすぐに活用することができる。冷蔵室ドア３３を開けると、冷蔵室ドア３３の庫内灯３７が点灯し、ドア警告アラーム３８が鳴るが、冷蔵室冷却停止時に冷蔵室３を収納スペースとして使用する場合、省エネ対応として冷蔵室ドア３３の庫内灯３６を消灯し、ドア警告アラーム３７を鳴らさないようにしてもよい。
【００４０】
また、冷蔵室冷却停止状態が長時間経過して解除された後に、給水タンク２５内の水を取り替えしてない場合、製氷を停止することにより製氷時の水の衛生面を確保することができる。又この時、製氷停止中であることを知らせるために、液晶表示基板３４に製氷停止中状態を表示してもよい。
【００４１】
また、冷蔵室冷却停止状態を記憶（ＥＥＰＲＯＭ）することで、電源が不安定な環境で瞬時停電が起こった場合に、電源が立上がり直後、冷蔵室冷却停止状態から開始するため、冷蔵室を収納スペースもしくは冷却停止状態で食品を保存している場合、冷蔵室３の冷却により冷蔵室内部に影響を及ぼすことなく運転することができる。
【産業上の利用可能性】
【００４２】
以上のように、本発明にかかる冷蔵庫は、必要に応じて使用者が冷蔵室の冷却を停止することができるので、冷凍装置を備えた冷却貯蔵庫等の用途にも適用できる。
【図面の簡単な説明】
【００４３】
【図１】本発明の実施の形態１における冷蔵庫の制御装置の断面図
【図２】同冷蔵庫のフローチャート
【図３】本発明の実施の形態２における冷蔵庫の制御装置の断面図
【図４】本発明の実施の形態３における冷蔵庫の制御装置の断面図
【図５】本発明の実施の形態４における冷蔵庫の制御装置の断面図
【図６】従来例の冷蔵庫の制御装置の断面図
【図７】同冷蔵庫のフローチャート
【符号の説明】
【００４４】
１    冷蔵庫本体
２    区画壁
３    冷蔵室
４    野菜室
５    冷凍室
６    製氷室
７    圧縮機
８    凝縮機
９    冷凍室冷却器
１０    吸入管
１１    冷蔵室冷却器
１２    切替弁
１３    冷凍室温度検知手段
１４    冷凍室温度設定手段
１５    冷凍室温度差演算手段
１６    冷蔵室温度検知手段
１７    冷蔵室温度設定手段
１８    冷蔵室温度差演算手段
１９    切替弁駆動手段
２０    圧縮機駆動手段
２１    冷蔵室冷却停止検出手段
２２    冷蔵室温度補正手段
２３    冷蔵室霜取りヒータ
２４    冷蔵室霜取りヒータ通電手段
２５    給水タンク
２６    給水量判断手段
２７    製氷停止判定手段
２８    給水ポンプ
２９    製氷皿
３０    製氷モータ
３１    貯氷箱
３２    冷蔵室冷却停止記憶手段
３３    冷蔵室ドア
３４    液晶表示基板
３５    バックライト表示
３６    庫内灯
３７    ドア警告アラーム
【図１】
2006242499.tif 000003
【図２】
2006242499.tif 000004
【図３】
2006242499.tif 000005
【図４】
2006242499.tif 000006
【図５】
2006242499.tif 000007
【図６】
2006242499.tif 000008
【図７】
2006242499.tif 000009